(57)【特許請求の範囲】
【請求項１】
合成樹脂を板状に成形した保持具本体であって一方の端部には半円弧状の係止部が形成され、他方の端部には前記係止部を係止するためのシャフトが形成され、両端部間に肉薄部分による縦ヒンジを３箇所に形成しかつ上端に係止部と下端に縦方向に延びるガイド溝とおよび上下に表面から突出して成る軸受け部材を形成した保持具本体と、
前記ヒンジにより折り曲げて前記係止部を係止して前記保持具本体を筒体に組立てた状態で内部に対向する側面に設けられ前記筒状に組み立てた保持具本体内に収納された飲料容器を他の側面に押圧する押圧部材であってほぼ中央部に横方向に延びる肉薄部分による横ヒンジが形成されて該横ヒンジの位置で山型に折れ曲がるカバー部材と該カバー部材の谷側に置かれて前記保持具本体の中心へ常時押圧する板ばねとで構成され、前記カバー部材は上端に前記係止部に係止させる係止突起と下端に前記ガイド溝に係合して上下に移動するガイド突起が形成されかつ背面側の前記横ヒンジの上部に板ばね用突起が形成され、前記板ばねは挿通孔が形成され、前記板ばね用突起を前記挿通孔に挿通することで前記カバー部材と前記板ばねとを一体化して成る前記押圧部材と、
前記軸受け部材に係合する部材を備えることで、前記保持具本体を筒体に組立てた状態で外側面に対し直立する位置と前記外側面に沿うように折り畳まれる位置との間で回動可能な把手と、により構成したことを特徴とする飲料容器の保持具。
【請求項２】
前記軸受け部材の形成された部位の上下に横方向に延びるスリットを前記保持具本体に形成することにより、前記保持具本体の前記スリット間に挟まれた部位が弾性を有するようになり、前記把手を立てた状態を安定化し得るとともに、折り畳み及び組み立て時にクリック感を発生させたことを特徴とする請求項１記載の飲料容器の保持具。
【請求項３】
前記保持具本体を筒体に組立てた状態で保持具本体内に収納された飲料容器の底部の少なくとも一部を下支えする載置板を設けたことを特徴とする請求項１又は２記載の飲料容器の保持具。
【請求項４】
飲料容器の一部を下支えする載置機能と折り畳み時の係止機能とを合わせ持つ係止板を設けたことを特徴とする請求項１〜３のいずれか１項記載の飲料容器の保持具。
【請求項５】
前記保持具本体の一端に設けられ、前記ヒンジにより折り曲げるとともに前記係止部を係止して前記保持具本体を筒体に組立てた状態で係止解除になり、前記係止部を係止した状態で前記ヒンジにより折り畳んだ状態で前記保持具本体の他端を係止する係止板を設けたことを特徴とする請求項１〜４のいずれか１項記載の飲料容器の保持具。
【請求項６】
前記保持具本体を筒体に組立てた状態で前記押圧部材に対向する側面に、円弧面を形成して円筒状の飲料容器を安定に保持することを特徴とする請求項１又は２記載の飲料容器の保持具。
【請求項７】
前記保持具本体を筒体に組立てた状態で前記押圧部材に対向する側面に、弾性材を設けて円筒状の飲料容器を安定に保持することを特徴とする請求項１又は２記載の飲料容器の保持具。
【請求項８】
前記押圧部材は、側面から見て山型に形成され、その頂部であって前記飲料容器に接触する位置に、前記飲料容器が角形の場合その角部近傍に接触する突起または角部を押圧する傾斜面を備えていることを特徴とする請求項１又は２記載の飲料容器の保持具。
【発明の詳細な説明】
【０００１】
【発明の属する技術分野】
本発明は、紙製パックや缶入りの飲料水等を幼児やお年寄りなどに飲ませる際に用いて好適な飲料容器の保持具に関する。
【０００２】
【従来の技術】
周知の如く、ミルクやジュース、お茶などの各種飲料は、箱型の紙製容器や筒状のアルミ缶などに入れられ、常温のままかあるいは加熱・冷却などの処理を施して販売されている。このような各種飲料を幼児に飲ませる場合、例えば紙製パックのまま持たせると、強く掴みすぎて飲料を溢れさせてしまい、飲料が衣服にかかるなどの問題があった。
そこで従来は、筒状の容器本体と軟性のストローを設けた蓋体とにより構成したトレーニング用の容器に飲料水を移し換え、容器を幼児に持たせストローにより吸い飲みさせていた。前記容器本体は硬質材料で形成されているため、幼児が強く握っても、飲料水が溢れ出ることはなかった。
【０００３】
【発明が解決しようとする課題】
しかし、上述のトレーニング用容器は本来、哺乳ビンを使用している乳幼児がコップ等を使用することができるようにトレーニングするためのものであるため、自宅で使用する場合にはさほど問題はないものの、外出時等にあっては次のような問題があった。
すなわち、▲１▼  予め容器内にミルク等を入れて外出することはできるものの、中が空になっても、容器本体や蓋体、ストローのいずれも合成樹脂製であるから折り畳むことができなかった。
▲２▼  また、容器本体の側面に両手で持てるように把手を付けたものもあり、この構成ではさらに大型になってかさばることとなっていた。
▲３▼  さらに、外出時等に缶飲料等を購入した場合には、親等がトレーニング容器に移しかえる必要があり、煩雑であった。
【０００４】
このため、図１８及び図１９に示すような簡単な構成の容器保持具を用いることもあった。例示した容器保持具６１は、薄い合成樹脂を用いて箱型に構成したものであり、上部の開口部には板状の蓋体６２が設けられている。容器保持具６１に飲料容器６３を収納する場合は、図１９に想像線で示すように蓋体６２を押し込むようにして容器保持具６１内に入れる。
この構成によれば、幼児は容器保持具６１のまま飲料容器６３を掴み、ストロー６４によって吸い飲みすることができる。そして、飲料容器６３の硬さに容器保持具６１の硬さが加わるので、飲料水の溢れも防止できた。
しかし、例示した容器保持具６１は、軽量ではあるが折り畳むことはできず、持ち歩きが不便である。また、飲料容器６３の形状や大きさは多岐にわたるが、容器保持具６１自体に可変性がないので、使用することのできる飲料容器６３の大きさ・形状等が限られてしまうため汎用性に乏しいといった問題があった。
【０００５】
なお、前記容器保持具以外にも、実用新案登録第３０３４５６８号公報によって、「紙パック飲料保持容器」の一例が開示されている。その概要を述べると、ヒンジ部によって上面から見てほぼコ字状型に、また折り畳み可能な二つの容器本体の端部をスライド可能に係止したものである。この構成によれば、不使用時に折り畳むことができ、形態に便利であるが、箱型の飲料容器であっても種類が限定される上に、缶やビンの収納が不便である等の問題がある。
しかも、二つの容器本体をスライドさせて大きさを合わせる際、収納する容器に合わせて調整しないと隙間ができて容器ががたつくのであるが、その調整作業が面倒である。また、把手がないので幼児には掴みにくい等の問題もある。
本発明は、前記問題点に鑑みてなされたものであり、その目的は携帯に便利である上に、飲料容器の大きさ形状の如何に関わらず安定に保持でき、しかも持ちやすい飲料容器の保持具を提供することにある。
【０００６】
【課題を解決するための手段】
上記課題を解決するため、請求項１記載の飲料容器の保持具の発明は、合成樹脂を板状に成形した保持具本体であって一方の端部には半円弧状の係止部が形成され、他方の端部には前記係止部を係止するためのシャフトが形成され、両端部間に肉薄部分による縦ヒンジを３箇所に形成しかつ上端に係止部と下端に縦方向に延びるガイド溝とおよび上下に表面から突出して成る軸受け部材を形成した保持具本体と、前記ヒンジにより折り曲げて前記係止部を係止して前記保持具本体を筒体に組立てた状態で内部に対向する側面に設けられ前記筒状に組み立てた保持具本体内に収納された飲料容器を他の側面に押圧する押圧部材であってほぼ中央部に横方向に延びる肉薄部分による横ヒンジが形成されて該横ヒンジの位置で山型に折れ曲がるカバー部材と該カバー部材の谷側に置かれて前記保持具本体の中心へ常時押圧する板ばねとで構成され、前記カバー部材は上端に前記係止部に係止させる係止突起と下端に前記ガイド溝に係合して上下に移動するガイド突起が形成されかつ背面側の前記横ヒンジの上部に板ばね用突起が形成され、前記板ばねは挿通孔が形成され、前記板ばね用突起を前記挿通孔に挿通することで前記カバー部材と前記板ばねとを一体化して成る前記押圧部材と、前記軸受け部材に係合する部材を備えることで、前記保持具本体を筒体に組立てた状態で外側面に対し直立する位置と前記外側面に沿うように折り畳まれる位置との間で回動可能な把手と、により構成したことを特徴としている。
そして、請求項２記載の発明は、請求項１記載の飲料容器の保持具において、前記軸受け部材の形成された部位の上下に横方向に延びるスリットを前記保持具本体に形成することにより、前記保持具本体の前記スリット間に挟まれた部位が弾性を有するようになり、前記把手を立てた状態を安定化し得るとともに、折り畳み及び組み立て時にクリック感を発生させたことを特徴としている。
また、請求項３記載の発明は、請求項１又は２記載の飲料容器の保持具において、前記保持具本体を筒体に組立てた状態で保持具本体内に収納された飲料容器の底部の少なくとも一部を下支えする載置板を設けたことを特徴としている。
さらに、請求項４記載の発明は、において、飲料容器の一部を下支えする載置機能と折り畳み時の係止機能とを合わせ持つ係止板を設けたことを特徴とする請求項１〜３のいずれか１項記載の飲料容器の保持具。
特徴としている。
そして、請求項５記載の発明は、請求項１〜４のいずれか１項記載の飲料容器の保持具において、前記保持具本体の一端に設けられ、前記ヒンジにより折り曲げるとともに前記係止部を係止して前記保持具本体を筒体に組立てた状態で係止解除になり、前記係止部を係止した状態で前記ヒンジにより折り畳んだ状態で前記保持具本体の他端を係止する係止板を設けたことを特徴としている。
また、請求項６記載の発明は、請求項１又は２記載の飲料容器の保持具において、前記保持具本体を筒体に組立てた状態で前記押圧部材に対向する側面に、円弧面を形成して円筒状の飲料容器を安定に保持することを特徴としている。
さらに、請求項７記載の発明は、請求項１又は２記載の飲料容器の保持具において、前記保持具本体を筒体に組立てた状態で前記押圧部材に対向する側面に、弾性材を設けて円筒状の飲料容器を安定に保持することを特徴としている。
そして、請求項８記載の発明は、請求項１又は２記載の飲料容器の保持具において、前記押圧部材が、側面から見て山型に形成され、その頂部であって前記飲料容器に接触する位置に、前記飲料容器が角形の場合その角部近傍に接触する突起または角部を押圧する傾斜面を備えていることを特徴としている。
【０００７】
前記構成の飲料容器の保持具によれば、板状の保持具本体の端部に設けた係止部を係止するとともに、複数、例えば三箇所に形成したヒンジにより折り曲げて筒状に組み立て、その内部に飲料容器を収納する。保持具本体には板ばね等のばねと、このばねににより付勢されて飲料容器を押圧するカバー部材とにより構成した押圧部材が組付けられるので、保持具本体内に飲料容器を収納することにより保持具が構成されるとともに、飲料容器はがたつき無く保持される。
しかも、飲料容器が大小に対応して押圧部材が変形し、缶に対応する円弧状凹部も形成されているので、多種の飲料容器を保持できる。
保持具本体に設けた係止板は、保持具本体内に飲料容器を収納した場合は係止解除になされるが、筒状のまま折り畳んだ場合は保持具本体の他の側板に係止するので、全体として二枚重ねの板状になり、携帯に便利な形状が保持される。
【０００８】
【発明の実施の形態】
以下、図１〜図１７を参照して本発明を適用した飲料容器の保持具の実施形態を説明する。図１は保持具の構成を示す斜視図、図２は保持具の折り畳み例を示す斜視図、図３は保持具の構成を示す正面図、図４は保持具の構成を示す平面図、図５は保持具の構成を示す一部切り欠き側面図、図６は保持具の構成を示す背面図、図７及び図８は保持具の折り畳み状態を示す平面図、図９は保持具の展開図、図１０は保持具を展開した状態の平面図、図１１は押圧部材の平面図、図１２は押圧部材の正面図、図１３は押圧部材の断面図、図１４は板ばねの斜視図、図１５は把手の形状を示す正面図、図１６は把手の作用を示す平面図、図１７は押圧部材の変形例を示す平面図である。
なお、実施形態の説明あたっては、保持具の全体構成と作用について説明し、次いで各部材について説明する。
【０００９】
本実施形態における保持具１は、図１に示すように組み立てて内部に例えばミルクやジュース入りの紙製の角柱状飲料容器（紙パック）２や更に清涼飲料水入りの缶等の飲料容器２’（図４参照）を収納して保持するとともに、不使用時には図２に示すように折り畳み得る構成になっている。
組み立て状態の保持具１は、図１及び図３〜図６に示すように上面から見て上部が開口された四角形の筒体になっている。そして、内部には飲料容器２を側面から押圧する押圧部材３が設けられ、底部の一部には飲料容器２の一部を下支えする載置板４と載置機能と折り畳み時に係止機能とを合わせ持つ係止板５とが張出ている。なお、図４には係止板５は図示されていないが、押圧部材３の下側に設けられていて、折り畳み時には図２に示すように係止を行う。
また、保持具１の外側面には、左右一対の把手６が上下一対の軸受け部材７ａ，７ｂによって、図４に矢印Ａ，Ｂで示すように回動自在、言い換えれば側面に沿わせるように折り畳み自在に設けられている。なお、一対の軸受け部材７ａ，７ｂの近傍に上下２条のスリット８ａ，８ｂが形成されている。
このスリット８ａ，８ｂを形成することによって、スリット８ａ，８ｂに挟まれた部分、すなわち保持具１の側面の一部が弾性を有するようになり、把手６を立てた状態を安定化し得るとともに、折り畳み及び組み立て時にクリック感を発生し得るようになる。
【００１０】
保持具１によって飲料容器２を保持する場合は、図１のように組み立てて内部に飲料容器２を収納し、ストロー９を挿入して幼児に持たせる。幼児は一対の把手６を両手で掴み、ストロー９をくわえてミルク等を飲む。保持具１内に収納される飲料容器２の形状は特に角柱形状のものに限定されるものではなく、図４に想像線で示したように、側面の一部に円弧状の缶収納部１０を形成しているので、円柱状の缶容器２’をも確実に保持することができる。
このように大きさや形状の異なる各種の飲料容器２を収納した場合、押圧部材３が図５に実線及び想像線で示すように変形しながら飲料容器２を押圧するので、飲料容器２が保持具１内でがたつくことはない。
【００１１】
また、保持具１を折り畳んだ場合、図７及び図８に示すように全体が板状に変形する。なお、保持具１の折り畳み形態は二種類あって、図７は図２に示した折り畳み状態の平面図であり、図８は他の折り畳み形態を示している。
因みに、図１に示した組み立て状態では、保持具１の高さＨは８９，７ｍｍ程度、幅Ｗは７０ｍｍ程度（但し両把手６を含めた場合は１２４ｍｍ程度）、奥行きＤは６４，４ｍｍ程度であるが、図７に示すように折り畳んだ場合は全体の厚さが２２，９ｍｍ程度に、また図８に示すように折り畳んだ場合は全体の厚さが２３，０５ｍｍ程度になる。従って、保持具１を使用しない場合は、全体の容積を小さくすることができ、持ち運び、バッグ等への収納が容易になる。
なお、前記寸法はいずれも例示であって、飲料容器２へ大きさ、部材の板厚などにより適宜変更されるものである。
【００１２】
以上に保持具１の概要を説明したが、次に保持具１を構成する部材等について更に詳細に説明する。
保持具１は、図９及び図１０に示すように合成樹脂を板状に成形した保持具本体（以下、単に本体と略称する）２１に後述する各種部材を組付けて構成されるものである。本体２１には、３か所にヒンジ（肉薄部分）２２ａ，２２ｂ，２２ｃが形成され、一方の端部には半円弧状の係止部２３ａ，２３ｂが形成され、他方の端部には前記係止部２３ａ，２３ｂを係止するためのシャフト２４ａ，２４ｂが形成されている。
従って、ヒンジ２２ａ〜２２ｃにおいて折り曲げ、係止部２３ａ，２３ｂをシャフト２４ａ，２４ｂに係止すると図１等に示したように上面から見て四角形の筒体になる。そして、ヒンジ２２ａ〜２２ｃは折り曲げ自在であり、係止部２３ａ，２３ｂとシャフト２４ａ，２４ｂとの係止部分は、あたかも蝶番のように作用するので、図２等について説明したように折り畳むことができる。
【００１３】
図９は保持具１の外側面を示すように展開したものであり、前記スリット８ａ，８ｂの形状や位置、缶収容部１０等の位置が理解できる。前記スリット８ａ，８ｂの近傍には、把手６を回動自在に係止するための軸受け部材７ａ，７ｂが設けられている。軸受け部材７ａ，７ｂは、本体２１の表面から突出し、軸受け部材７ａについては上方に、軸受け部材７ｂについては下方に向けて軸挿通孔２６ａ，２６ｂ（図１０）が形成されている。なお、軸受け部材７ａ，７ｂ及び軸挿通孔２６ａ，２６ｂの構成については、図３の右方に示した切り欠き部分に断面図で図示してある。
【００１４】
本体２１の一側面、すなわち図１においては背面に相当する位置に、前記押圧部材３の一端（図１では上端に相当）を係止するための２個の係止部２７と、押圧部材３の他端（図１では下端に相当）を上下方向に支持するためのガイド溝２８とが形成されている。
なお、係止部２７とガイド溝２８の構成は、図５の右方に示した切り欠き部分に断面図で図示してある。
【００１５】
次に、図１１〜図１３を参照して押圧部材３の構成について説明する。
ここで、図１１は押圧部材３の平面図、図１２は正面図である。押圧部材３は、合成樹脂を成形したカバー部材３１と図１４に示した板ばね３２とにより構成されている。図１２において、カバー部材３１のほぼ中央部には、横方向に肉薄のヒンジ３３が形成され、上端の二箇所に前記係止部２７に係止させる係止突起３４が、また下端には前記ガイド溝２８に係合して上下に移動するガイド突起３５が形成されている。
また、カバー部材３１の背面側であって、ヒンジ３３の上部には突起３６が形成され、この突起３６を板ばね３２（図１４）に形成した挿通孔３７に挿通させ、カバー部材３１と板ばね３２とを一体化して押圧部材３を構成する。この構成によれば、押圧部材３を側面から見るとヒンジ３３の位置で折れ曲がり、ほぼ山型と言える形状になる（図５参照）。
【００１６】
押圧部材３について注目すべきは、カバー部材３１表面の中央の一部に縦方向にくぼんだ凹部３８が形成されるとともに、ヒンジ３３の上部の両端部に突部３９が形成されていることである。押圧部材３は、前記のように角柱状の飲料容器２の側面を押圧する機能を有しているが、この突起３９を設けることによって飲料容器２の陵辺部に近い位置を押圧するようになり、側面中央部近辺は押圧しない。陵辺部は側面中央部と比べて構造的に変形しにくいから、押圧部材３によって飲料容器３を押圧しても内容物の溢れをより確実に防止することができる。
また、飲料容器２の形状によっては、押圧部材３の角度が変わるが、凹部３８を形成することにより飲料容器２の側面押圧を低減することができる。
【００１７】
次に、図１５及び図１６を参照して把手６について説明する。
把手６は両端が板状に形成され、その先端は角状に形成されている。そして、板状部分の内側に前記軸挿通孔２６ａ，２６ｂに挿通する軸４１ａ，４１ｂが形成されている。把手６を本体２１に、言い換えれば軸受け部材７ａ，７ｂに組付ける場合は、把手６の両端を開いて軸４１ａ，４１ｂをそれぞれ軸挿通孔２６ａ，２６ｂに嵌め込むだけでよい。
把手６を立てた状態、すなわち図１を参照して説明したように使用時においては、把手６の先端の全面が図１６に実線で示すように保持具１の側面に接触する。この状態から想像線で示すように横方向のいずれかに倒そうとすると、角部によって保持具１の側面が押され、押された位置が実線に示した直線状から想像線で示すように撓み変形する。
把手６により押される位置は、既に説明したようにスリット８ａ，８ｂにより弾性が付与されている位置である。そして、把手６を想像線で示した状態から更に倒すと、保持具１の弾性により付勢されて自動的に倒れる。
【００１８】
一方、倒れている把手６を立てる場合も、前記同様に把手６の角部により保持具１の一部が押されて撓み変形し、それ以上に回動すると保持具１が元の形状に戻ろうとする弾性が付与されて勢いよく立つ。従って、使用者は把手６が正規に立てられたことをクリック感で知ることができるうえに、保持具１を撓ませないかぎり把手６は安定に、しかもがたつき無く立つので、幼児等の取扱が容易になり、安全性も向上する。
【００１９】
ここで、保持具１の組み立てについて説明する。
先ず、押圧部材３の組付けについて述べると、カバー部材３１に形成した係止突起３４を板ばね３２に形成した挿通孔３７に挿通する。係止突起３４の周囲には、二つ折りされた板ばね３２の一方を位置決めする枠４２（図１２）が形成されているので、板ばね３２はがたつき無くカバー部材３１の裏面に一体化される。
なお、枠４２については図１２に点線で、また図１３に一部を実線で図示してある。カバー部材３１のほぼ中央部には開口部４３が形成されているが、板ばね３２が枠４２内に正規に固定されると、板ばね３２の下端３２ａが開口部４３を閉塞するようになり、正規に固定されたか否かを確認することができる。
【００２０】
このようにして組付けられた押圧部材３は、係止突起３４を係止部２７に係止させ、ガイド突起３５をガイド溝２８に押し込んで、本体２１に組付けられる。この結果、板ばね３２は図５に示したようにカバー部材３１と本体２１との間に挟みこまれ、この組付けにより押圧部材３が完成する。
ガイド溝２８は縦長に形成され、押圧部材３にはヒンジ３３が形成されているので、押圧部材３の突部３９の近傍を押すと、ガイド突起３５がガイド溝２８によって案内されながら上下し、押圧部材３全体が図５に実線で、或いは想像線で示したように多様に変形する。この場合、押圧部材３がどのような状態に変形しても突起３６が常に頂部に位置するように突起３６の高さを決めておけば、前述のごとく突起３６は紙製の角柱状飲料容器２の陵辺部付近を押圧することとなり、けっして飲料容器２の側面中央部を押圧することがないので、側面中央部を押圧することによる飲料容器内部の飲料の噴き出しを避けることができる。
【００２１】
このように本体２１に押圧部材３を組付け、更に前記のように軸受け部材７ａ，７ｂに把手６を取り付け、次いでヒンジ２２ａ〜２２ｃにより折り曲げた後、図９に示した係止部２３ａ，２３ｂをシャフト２４ａ，２４ｂに係止させると、図１に示したような筒状の保持具１が完成する。
この構成によると、飲料容器２を収納すると押圧部材３によって押圧されるので、本体２１の変形防止と飲用容器２の形状及び大きさの如何に関わらず、がたつき防止とが同時に行われる。そして、不使用時には係止部２３ａ，２３ｂを係止したままで押し潰すようにすると、押圧部材３が押圧されて全体が偏平状になるとともに、係止板５の先端に形成した係止突起５ａが図２に示したように本体２１の一端に係止する。
従って、係止突起５ａを解除しない限り、図７及び図８に示した折り畳み形状が維持され携帯が容易になる。
また、飲料容器２の形状や大きさに合わせて、二つの部材をスライドさせる等の面倒な作業が不要になる。
【００２２】
次に、図１７を参照して押圧部材３の他の実施形態を説明する。
本実施形態では、突部３９に代えてカバー部材３１の頂部に中央部が凹み、両端が高くなる斜面５１を形成した。この構成によれば、飲料容器２の形状が想像線で示すように変わっても、角部を確実に押圧することができ、飲料の溢れ出しをより確実に防止することができる。
また、本体２１の内側面の全体にスポンジ等の弾性材を張り付けてもよく、この場合は押圧部材３との併用、或いは弾性材の張り付けのみにすることも可能である。
【００２３】
以上、本発明の実施形態を説明したが、本発明は前記構成に限定されるものではない。すなわち、ストローの固定具等を付加してもよく、把手の形状や弾性の付与構造も前記に限定されない。
【００２４】
【発明の効果】
以上説明したように、本発明に係る飲料容器の保持具は、板状の保持具本体に形成した複数、例えば三箇所に形成したヒンジにより折り曲げ、且つ端部に設けた係止部を係止して筒状に組み立て、その内部に飲料容器を収納するとともに、保持具本体に組付けられている押圧部材によって、保持具本体内に収納した飲料容器を押圧して飲料容器のがたつきを無くすように構成した。
また、保持具本体内に飲料容器を収納した場合は係止解除になされるが、筒状のまま折り畳んだ場合は保持具本体の他の側板に係止する係止板を設けた。
従って、保持具本体内に収納した飲用容器は、その形状や大きさの如何に関わらず安定に保持されるとともに、保持具本体によりカバーされるので押されることがなく、飲料の溢れ出しを防止することができる。
そのうえ、保持具を全体として二枚重ねの板状にすることができるので携帯が便利になり、利用する場合は面倒なスライド作業等を行うことなく、飲料容器を差し込むだけで保持できるようになる。
【図面の簡単な説明】
【図１】本発明の実施形態である飲料容器の保持具の構成を示す斜視図である。
【図２】保持具の折り畳み例を示す斜視図である。
【図３】保持具の構成を示す正面図である。
【図４】保持具の構成を示す平面図である。
【図５】保持具の構成を示す一部切り欠き側面図である。
【図６】保持具の構成を示す背面図である。
【図７】保持具の折り畳み状態を示す平面図である。
【図８】保持具の他の折り畳み状態を示す平面図である。
【図９】保持具本体の展開図である。
【図１０】保持具本体を展開した状態の平面図である。
【図１１】押圧部材の構成を示す平面図である。
【図１２】押圧部材の構成を示す正面図である。
【図１３】押圧部材の構成を示す断面図である。
【図１４】板ばねの形状を示す斜視図である。
【図１５】把手の形状を示す正面図である。
【図１６】把手の作用を示す平面図である。
【図１７】押圧部材の変形例を示す平面図である。
【図１８】従来の保持具の一例を示す斜視図である。
【図１９】従来の保持具の作用を示す断面図である。
【符号の説明】
１  飲料容器の保持具
２  飲料容器
３  押圧部材
５  係止板
６  把手
７ａ，７ｂ  軸受け部材
８ａ，８ｂ  スリット
１０  缶収容部
２１  保持具本体
２２ａ〜２２ｃ  ヒンジ
２３ａ，２３ｂ  係止部
２４ａ，２４ｂ  シャフト
３１  カバー部材
３２  板ばね
【図１】
0004076286.tif 000002
【図２】
0004076286.tif 000003
【図３】
0004076286.tif 000004
【図４】
0004076286.tif 000005
【図５】
0004076286.tif 000006
【図６】
0004076286.tif 000007
【図７】
0004076286.tif 000008
【図８】
0004076286.tif 000009
【図９】
0004076286.tif 000010
【図１０】
0004076286.tif 000011
【図１１】
0004076286.tif 000012
【図１２】
0004076286.tif 000013
【図１３】
0004076286.tif 000014
【図１４】
0004076286.tif 000015
【図１５】
0004076286.tif 000016
【図１６】
0004076286.tif 000017
【図１７】
0004076286.tif 000018
【図１８】
0004076286.tif 000019
【図１９】
0004076286.tif 000020